(57)【要約】【課題】  使用者が感電することを防止できるコンセント用プレート、及びコンセントを提供する。【解決手段】  コンセント用プレート１は、プラグの栓刃が挿入される栓刃挿入口２０ａ〜２０ｃを前面に備えるコンセント２の前面側に取り付けられるプレート本体１０を有し、プレート本体１０には、コンセント２の栓刃挿入口２０ａ〜２０ｃを露出させる窓孔１０ａと、窓孔１０ａの周辺部から前方へ突出してコンセント２に接触導通されたプラグを囲繞する感電防止用リブ１０ｂとが形成されており、感電防止用リブ１０ｂの内周面とコンセント２に接続されたプラグの外周面との隙間は、指が入り込めない程度の大きさに形成されている。【選択図】図１
2006310041.tif 000002
【特許請求の範囲】
【請求項１】
プラグの栓刃が挿入される栓刃挿入口を前面に備えるコンセントの前面側に取り付けられるプレート本体を有し、プレート本体には、コンセントの栓刃挿入口を露出させる窓孔と、窓孔の周辺部から前方へ突出して栓刃挿入口に栓刃を挿入した状態のプラグを囲繞する感電防止用リブとが形成され、感電防止用リブの内周面と前記状態のプラグの外周面との隙間は、指が入り込めない程度の大きさに形成されていることを特徴とするコンセント用プレート。
【請求項２】
プレート本体は、コンセントの前面を露出させる開口部を有してコンセントの前面側に取り付けられる取付プレートと、取付プレートの前面に開閉自在に被着されるプレートカバーとを備え、窓孔及び感電防止用リブはプレートカバーに設けられていることを特徴とする請求項１に記載のコンセント用プレート。
【請求項３】
プレートカバーは枢支機構により取付プレートに被着されており、枢支機構は、取付プレートとプレートカバーのいずれか一方にそれぞれ同軸となるように少なくとも４つ設けられた軸部と、残る他方に設けられて各軸部を回動自在に支持する軸受け部とで構成されていることを特徴とする請求項２に記載のコンセント用プレート。
【請求項４】
感電防止用リブの外側面は、前端側から後端側へ行くにつれて外方へ突出するテーパ状に形成されていることを特徴とする請求項１〜３のいずれか１項に記載のコンセント用プレート。
【請求項５】
プラグの栓刃が挿入される栓刃挿入口を前面に備える器体と、器体の前面に開閉自在に被着される前面カバーとを有し、前面カバーには、器体の栓刃挿入口を露出させる窓孔と、窓孔の周辺部から前方へ突出して栓刃挿入口に栓刃を挿入した状態のプラグを囲繞する感電防止用リブとが形成され、感電防止用リブの内周面と前記状態のプラグの外周面との隙間は、指が入り込めない程度の大きさに形成されていることを特徴とするコンセント。
【発明の詳細な説明】
【技術分野】
【０００１】
本発明は、コンセントに被着されるコンセント用プレート、及びコンセントに関する。
【背景技術】
【０００２】
従来から、図１９に示すような、前面に栓刃挿入口を備えた埋込型のコンセント１１０が提供されており、このような埋込型のコンセント１１０は、壁面のような施工面１００に取付枠（図示せず）等を用いて、後端部が施工面１００に埋め込まれた形で設置され、このコンセント１１０の前面側には、コンセント１１０の前面を露出させて、プラグ１３０を接続可能とするとともに、取付枠を隠蔽するコンセント用プレート１２０が被着される（たとえば、特許文献１）。
【特許文献１】特開２０００−１６６０５０号公報（第１図、第１０図）
【発明の開示】
【発明が解決しようとする課題】
【０００３】
しかしながら、従来のコンセントでは、プラグ１３０の挿抜時に図１９に示すように、コンセント１１０の刃受（図示せず）に接触導通されたプラグ１３０の栓刃１３２が剥き出しの状態となるから、不意に指Ｘがプラグ１３０のボディ１３１から栓刃１３２側へ滑る等して、栓刃１３２に触れてしまうと、使用者が感電してしまうという危険性があった。
【０００４】
本発明は上述の点に鑑みて為されたもので、その目的は、使用者が感電することを防止できるコンセント用プレート、及びコンセントを提供することである。
【課題を解決するための手段】
【０００５】
上述の課題を解決するために、請求項１のコンセント用プレートでは、プラグの栓刃が挿入される栓刃挿入口を前面に備えるコンセントの前面側に取り付けられるプレート本体を有し、プレート本体には、コンセントの栓刃挿入口を露出させる窓孔と、窓孔の周辺部から前方へ突出して栓刃挿入口に栓刃を挿入した状態のプラグを囲繞する感電防止用リブとが形成され、感電防止用リブの内周面と前記状態のプラグの外周面との隙間は、指が入り込めない程度の大きさに形成されていることを特徴とする。
【０００６】
請求項１の発明によれば、プラグの挿抜時にプラグの栓刃に指先が触れることがなくなるので、コンセントから完全に外れていないプラグの栓刃に指先が触れて、感電してしまうことを防止することができる。また、施工の際には、従来のコンセント用プレートと取り替えるだけでよいから、従来のコンセントとプラグをそのまま使用することができ、これにより、電気工事を行わなくて済むようになる。
【０００７】
請求項２のコンセント用プレートでは、請求項１の構成に加えて、プレート本体は、コンセントの前面を露出させる開口部を有してコンセントの前面側に取り付けられる取付プレートと、取付プレートの前面に開閉自在に被着されるプレートカバーとを備え、窓孔及び感電防止用リブはプレートカバーに設けられていることを特徴とする。
【０００８】
請求項２の発明によれば、プレートカバーを閉じた状態では、コンセントの栓刃挿入口が窓孔から露出するとともに、感電防止用リブで囲繞され、プレートカバーを開いた状態では、コンセントの栓刃挿入口が取付プレートの開口部からのみ露出するようになっているので、感電防止用リブ内に入らない形状のプラグであっても、プレートカバーを開けるだけの簡単な作業でコンセントへの接続を行える。
【０００９】
請求項３のコンセント用プレートでは、請求項２の構成に加えて、プレートカバーは枢支機構により取付プレートに被着されており、枢支機構は、取付プレートとプレートカバーのいずれか一方にそれぞれ同軸となるように少なくとも４つ設けられた軸部と、残る他方に設けられて各軸部を回動自在に支持する軸受け部とで構成されていることを特徴とする。
【００１０】
請求項３の発明によれば、プレートカバーを取付プレートに強固に取り付けることができ、たとえば、プラグの引抜時にプラグがプレートカバーに当たって、プレートカバーが取付プレートから外れてしまうことを防止できる。
【００１１】
請求項４のコンセント用プレートでは、請求項１〜３のいずれか１項の構成に加えて、感電防止用リブの外側面は、前端側から後端側へ行くにつれて外方へ突出するテーパ状に形成されていることを特徴とする。
【００１２】
請求項４の発明によれば、感電防止用リブの外側面が尖った角のないテーパ状となっているので、感電防止用リブに足等が当たってけがしてしまうことを防止できる。
【００１３】
請求項５のコンセントでは、プラグの栓刃が挿入される栓刃挿入口を前面に備える器体と、器体の前面に開閉自在に被着される前面カバーとを有し、前面カバーには、器体の栓刃挿入口を露出させる窓孔と、窓孔の周辺部から前方へ突出して栓刃挿入口に栓刃を挿入した状態のプラグを囲繞する感電防止用リブとが形成され、感電防止用リブの内周面と前記状態のプラグの外周面との隙間は、指が入り込めない程度の大きさに形成されていることを特徴とする。
【００１４】
請求項５の発明によれば、前面カバーを閉じた状態では、栓刃挿入口の前方に感電防止用リブが位置しているので、プラグの挿抜時にプラグの栓刃に指先が触れることがなくなり、これにより、コンセントから完全に外れていないプラグの栓刃に指先が触れて、感電してしまうことを防止できる。一方、前面カバーを開いた状態では、栓刃挿入口の前方に感電防止用リブが位置しないので、感電防止用リブ内に入らない形状のプラグであっても、前面カバーを開けるだけの簡単な作業でコンセントへの接続を行える。
【発明の効果】
【００１５】
本発明は、プラグの挿抜時にプラグの栓刃に指先が触れることがなくなるので、コンセントから完全に外れていないプラグの栓刃に指先が触れて、感電してしまうことを防止することができるという効果がある。
【発明を実施するための最良の形態】
【００１６】
以下、本発明の実施形態について図１〜図１８を参照して説明する。
【００１７】
（実施形態１）
本実施形態のコンセント用プレート（以下、プレートと略す）１は、図１，２に示すように、図示しないプラグの栓刃が挿入される栓刃挿入口２０ａ〜２０ｃを前面に備えるコンセント２の前面側に取り付けられるプレート本体１０を有し、プレート本体１０には、コンセント２の栓刃挿入口２０ａ〜２０ｃを露出させる窓孔１０ａと、窓孔１０ａの周辺部から前方へ突出して栓刃挿入口に栓刃を挿入した状態のプラグを囲繞する感電防止用リブ１０ｂとが形成されている。
【００１８】
まず、本実施形態のプレート１を取り付るコンセント２について説明する。このようなコンセント２は、図２（ａ），（ｂ）に示すように、長尺の略直方体状の器体２０を有し、この器体２０は、たとえば、ＪＩＳ規格で規格化されている大角形連用配線器具の１連用の後述する取付枠４（図５参照）に、該取付枠４の開口窓４ａから器体２０の前面が露出する形で最大３個まで連設して取り付けることができるように寸法設定された単位寸法の埋込配線器具の３個分に相当する寸法に形成されている。また、器体２０の前面には、図２（ａ）に示すように、一対の平型栓刃とピン型栓刃とを有する接地極付きのＡ型プラグの各栓刃（図示せず）がそれぞれ挿入される一対の平型栓刃挿入口２０ａ，２０ｂと、ピン型栓刃挿入口２０ｃとが長手方向に一組ずつ形成されており、器体２０内には、各栓刃に対応する刃受が収納されている。
【００１９】
前述した取付枠４は、ＪＩＳ規格で規格化されている大角形連用配線器具の１連用のものであり、図５に示すように、互いに並行する長尺状の一対の枠片４０，４０の一端部同士及び他端部同士をそれぞれ横片４１，４１で連続一体に結合することによって、器体２０の前面を露出させる長方形状の開口窓４ａを中央部に備えた縦長の矩形枠状に形成されている。取付枠４の各横片４１，４１の中央部には、該取付枠４を壁面などの施工面に埋込配置された埋め込みボックス（図示せず）に取り付けるためのボックスねじ（図示せず）を挿通するボックス用孔４１ａと、プレートを取り付けるためのプレートねじ（図示せず）が螺着されるプレートねじ孔４１ｂとが設けてある。
【００２０】
次に、コンセント２に取り付けられるプレート１について説明する。プレート１は、図１に示すように、絶縁性を有する合成樹脂を用いて、コンセント２の前面を覆うとともに、コンセント２に取り付けられた取付枠４を隠蔽できる程度の大きさの略長方形の平板状に形成されたプレート本体１０と、プレート本体１０を取付枠４に取り付けるためのプレート枠（図示せず）とを備えている。プレート本体１０には、コンセント２の栓刃挿入口２０ａ〜２０ｃの組にそれぞれ対応して、これら栓刃挿入口２０ａ〜２０ｃを露出させる矩形状の窓孔１０ａが長手方向に一つずつ設けられている。ここで、窓孔１０ａの大きさは、たとえば、図３（ａ）に示すような一般的な電気器具等に通常よく用いられている接地極無しのＡ型プラグ３や、図示しない接地極有りのＡ型プラグ等をコンセント２に差し込める程度の大きさに形成されている。また、プレート本体１０の各窓孔１０ａの周辺部には前方へ突出して、栓刃挿入口２０ａ〜２０ｃに栓刃が挿入された状態のプラグ（つまりは、コンセント２に接触導通された状態のプラグ）を囲繞する矩形枠状の感電防止用リブ１０ｂが一体に形成されている。ここで、感電防止用リブ１０ｂの内周面とコンセント２に接触導通されたプラグの外周面（つまりはプラグのボディの外周面）との隙間は、指が入り込めない程度の大きさに形成されており、これにより、プラグの栓刃に電流が流れた状態では、使用者の指が栓刃に接触することがないようにしている。
【００２１】
以上により形成されたプレート１は、取付枠４（図５参照）を用いて、図２（ｂ）に示すようにコンセント２の前面側に取り付けられ、この状態では、図２（ａ）に示すように、プレート本体１０の各窓孔１０ａからコンセント２の前面に設けられた栓刃挿入口２０ａ〜２０ｃがそれぞれ露出している。
【００２２】
このようにしてプレート１が取り付けられたコンセント２には、たとえば、図３（ａ）に示すような、接地極無しのＡ型プラグ３が接続される。この接続は、プラグ３のボディ３ｃを指で持って、一対の平型栓刃３ａ，３ｂを、窓孔１０ａから露出する平型栓刃挿入口２０ａ，２０ｂに挿入していき、平型栓刃３ａ，３ｂを器体２０内に収納された刃受（図示せず）に接触導通させることで行われ、このようにプラグ３がコンセント２に接触導通された状態では、プラグ３の栓刃側が感電防止用リブ１０ｂで囲繞され、ボディ３ｃと感電防止用リブ１０ｂとの隙間には指が入り込めないようになっている。したがって、接続作業時に不意に指がボディ３ｃから平型栓刃３ａ，３ｂ側へ滑ったとしても、指がプラグ３の栓刃３ａ，３ｂよりも先に感電防止用リブ１０ｂに当たることになるから、指先が平型栓刃３ａ，３ｂに触れることがなくなり、これにより、使用者がプラグの接続作業中に感電してしまうことを防ぐことができる。また、プラグの取り外しの際においても、上記の感電防止用リブ１０ｂによって、指先が平型栓刃３ａ，３ｂに触れることが防止されるので、プラグの接続時と同様に使用者が感電してしまうことを防ぐことができる。
【００２３】
以上述べたように、本実施形態のプレート１によれば、プラグの挿抜時にプラグの栓刃に指先が触れることが無くなるので、コンセントに接触導通された状態のプラグの栓刃に指先が触れて、感電してしまうことを防止することができる。また、本実施形態のプレート１をコンセント２に取り付ける際には、従来のプレートを本実施形態のプレート１に取り替えるだけでよく、コンセントやプラグ自体を変更する必要がないから、従来のコンセントとプラグをそのまま使用することができ、これにより、電気工事を行わなくて済み、施工性を向上できる。
【００２４】
尚、本実施形態では、プレートを取り付けるコンセントとして接地極有りのＡ型プラグに対応する栓刃挿入口を２組備えたものを示しているが、本実施形態のプレートは、上記のようなコンセントに対応するものに限られるものではなく、ＣＥＥ型プラグ等、様々なプラグ用のコンセントに対応して用いることができる。この点は、下記の実施形態２，３についても同様である。
【００２５】
（実施形態２）
ところで、上記実施形態１では、図３（ａ）に示すような一般的に用いられるプラグ３の大きさに対応して感電防止用リブ１０ｂが形成されているので、たとえば、図３（ｂ）に示すようなプラグ３よりも大型のＡＣアダプタ３０では、プラグ３と同様にＡ型の平型栓刃３０ａ，３０ｂを有していてもコンセント２に接続できないという問題がある。つまり、このようなＡＣアダプタ３０の場合、ボディ３０ｃが感電防止用リブ１０ｂの内形よりも大きいために、接続の際にはボディ３０ｃの先端面（栓刃３０ａ，３０ｂが設けられている面）に感電防止用リブ１０ｂが当接することになり、これにより、平型栓刃３０ａ，３０ｂの器体２０内への挿入量が少なくなって、器体２０内の刃受との十分な接触導通が図れなくなってしまうのである。
【００２６】
本実施形態のプレート１１は、かかる問題を解決するためのものであり、プレート本体１２が、図４（ａ），（ｂ）に示すように、コンセント２の前面を露出させる開口部１３ａを有してコンセント２の前面側に取り付けられる取付プレート１３と、取付プレート１３の前面に開閉自在に被着されるプレートカバー１４とで構成されている。
【００２７】
取付プレート１３は、図５に示すように、絶縁性を有する合成樹脂を用いて、コンセント２の前面を覆うとともに、コンセント２に取り付けられた取付枠４を隠蔽できる程度の大きさの略長方形の平板状に形成されており、中央部には、コンセント２の前面を露出させる矩形状の開口部１３ａが設けられている。また、図５に示すように、取付プレートの長手方向一端側（図５における上端側）には、他の部位よりも前面が後方に位置する段部１３ｂが形成されており、段部１３ｂの前面には、取付プレート１３の短手方向に離間した第１のリブ１３ｃと第２の１３ｄが一体に突設されている。
【００２８】
そして、第２のリブ１３ｄと対向しない第１のリブ１３ｃの面（図５における左側面）には、第１の軸受け部（図示せず）が形成されており、第１のリブ１３ｃと対向しない第２のリブ１３ｄの面（図５における右側面）には、第２の軸受け部１３ｅが形成されている。これら第１の軸受け部（図示せず）と第２の軸受け部１３ｅは、ともに略円形状の凹部からなり、同軸上に配置されている。
【００２９】
プレートカバー１４は、図５に示すように、絶縁性を有する合成樹脂を用いて、取付プレート１３の前面を覆う大きさの略長方形の平板状に形成されており、中央部には、取付プレート１３の開口部１３ａから露出するコンセント２の栓刃挿入口２０ａ〜２０ｃの組をそれぞれ露出させる一対の矩形状の窓孔１４ａ，１４ａが形成されている。ここで、窓孔１４ａの大きさは、上記実施形態１と同様に、図３（ａ）に示すような一般的に用いられる接地極無しのＡ型プラグ３や、図示しない接地極有りのＡ型プラグ等をコンセント２に差し込める程度の大きさに形成されている。
【００３０】
また、プレートカバー１４の各窓孔１４ａの周辺部には、前方へ突出してコンセント２に接続されたプラグを囲繞する矩形枠状の感電防止用リブ１４ｂが一体に形成されており、上記実施形態１と同様に、感電防止用リブ１４ｂの内周面とコンセント２に接触導通されたプラグの外周面との隙間は、指が入り込めない程度の大きさに形成されている。さらに、プレートカバー１４の長手方向の一端（図５における上端）には、取付プレート１３の第１のリブ１３ｃが挿通される第１の切欠部１４ｃと、第２のリブ１３ｄが挿通される第２の切欠部１４ｄとが形成されている。第１の切欠部１４ｃの内側面（図５における左側面）には、第１の軸受け部（図示せず）にプレートカバー１４の短手方向を回転軸として回動自在に支持される第１の軸部１４ｅが一体に突設されており、第２の切欠部１４ｄの内側面（図５における右側面）には、第２の軸受け部１３ｅにプレートカバー１４の短手方向を回転軸として回動自在に支持される第２の軸部（図示せず）が一体に突設されている。これら第１の軸部１４ｅと第２の軸部（図示せず）は、ともに円柱状の突起からなり、同軸上に配置されている。
【００３１】
そして、プレートカバー１４は、図６（ａ），（ｂ）に示すように、第１の軸部１４ｅと第２の軸部（図示せず）を、取付プレート１３の第１の軸受け部（図示せず）と第２の軸受け部１３ｅにそれぞれ回動自在に支持させることで取り付けられる。つまり、プレートカバー１４は、上記２つの軸部と該軸部に対応する上記軸受け部とで構成される枢支機構により、取付プレート１３の前面に開閉自在に被着されることになる。
【００３２】
以上により構成された本実施形態のプレート１１は、図４（ａ）に示すプレートカバー１４を閉じた状態と、図４（ｂ）に示すプレートカバー１４を開いた状態との２つの状態を選択して使用することができるようになっている。
【００３３】
ここで、図４（ａ）に示すプレートカバー１４を閉じた状態では、プレートカバー１４の各窓孔１４ａからコンセント２の前面に設けられた栓刃挿入口２０ａ〜２０ｃが露出し、コンセント２にプラグを接続した際には、プラグが感電防止用リブ１４ｂによって囲繞されることになるので、上記実施形態１と同様に、プラグの挿抜時にプラグの栓刃に指先が触れることが無くなり、これにより、コンセントに接触導通された状態のプラグの栓刃に指先が触れて、感電してしまうことを防止できる。
【００３４】
一方、図４（ｂ）に示すプレートカバー１４を開いた状態では、コンセント２の前面が取付プレート１３の開口部１３ａからのみ露出した状態となり、コンセント２の前面に感電防止用リブ１４ｂが配置されていない状態となっているので、図３（ｂ）に示すＡＣアダプタ３０のような大型のプラグであってもコンセント２に接続することが可能になる。
【００３５】
つまり、本実施形態のプレート１１によれば、プレートカバー１４を閉じた状態では、上記実施形態１と同様に、使用者の感電を防止でき、プレートカバー１４を開いた状態では、感電防止用リブ１４ｂ内に入らない形状のプラグのコンセント２への接続を行えるのである。しかも、プレートカバー１４を開け閉めするだけの簡単な作業でプレート１１の使用状態を選択することができるから、プラグの形状に応じてプレートを交換したりする手間を省くことができる。また、本実施形態のプレート１１を用いる際には、上記実施形態１と同様に、従来のコンセントとプラグをそのまま使用することができるから、電気工事を行う必要が無く、施工性がよい。
【００３６】
ところで、本実施形態のプレート１１においては、上述したように、プレートカバー１４を取付プレート１３に取り付ける枢支機構が、軸部と軸受け部の組を２組有しているものであり、プレートカバー１４の開閉という点では、十分な強度を得ることができていた。しかしながら、このように２箇所で回動自在に支持しているものでは、回転軸方向にかかる力に対しては弱く、そのため、たとえばプラグを無理に引き抜いた際等にプレートカバー１４の短手方向（つまりはプレートカバー１４の回転軸方向）においてプラグがプレートカバー１４に衝突してしまうと、プレートカバー１４が取付プレート１３から外れてしまうという問題があった。
【００３７】
このようなプレートカバー１４の外れに対しては、枢支機構の軸部と軸受け部の組を少なくとも４組設けるようにすれば、プレートカバー１４の回転軸方向においても十分な取付強度を得ることができる。たとえば、図７に示すように、取付プレート１３においては、第１の軸受け部が形成された面と反対側の第１のリブ１３ｃの面に第３の軸受け部１３ｆを設け、第２の軸受け部１３ｅが形成された面と反対側の第２のリブ１３ｄの面に第４の軸受け部（図示せず）を設けて、それぞれ同軸上に配置された計４つの軸受け部を備えるようにすればよい。一方、プレートカバー１４においては、第３の軸受け部１３ｆに対応する第３の軸部（図示せず）を第１の切欠部１４ｃの内側面に設けるとともに、第４の軸受け部に対応する第４の軸部１４ｆを第２の切欠部１４ｄの内側面に設けて、それぞれ同軸上に配置された計４つの軸部を備えるようにすればよい。
【００３８】
そして、プレートカバー１４の取付プレート１３への取り付けは、プレートカバー１４の第１の軸部１４ｅ〜第４の軸部（図示せず）を、取付プレート１３の第１の軸受け部（図示せず）〜第４の軸受け部１３ｅにそれぞれ回動自在に支持させることで行われ、これにより、プレートカバー１４は、上記４つの軸部と該軸部に対応する上記軸受け部とで構成される枢支機構により、取付プレート１３の前面に開閉自在に被着されることになる。
【００３９】
このように、少なくとも４箇所でプレートカバー１４を取付プレート１３に支持させれば、プレートカバー１４を取付プレート１３に強固に取り付けることができ、プラグの引抜時にプラグがプレートカバー１４に当たって、プレートカバー１４の回転軸方向の衝撃がプレートカバー１４に加えられた際にも、プレートカバー１４が取付プレート１３から外れてしまうことを防止できる。尚、本実施形態では、枢支機構の軸部をプレートカバー１４に設け、軸受け部を取付カバー１３に設けるようにしているが、逆に、軸部を取付カバー１３に設けて、軸受け部をプレートカバー１４に設けるようにしてもよい。
【００４０】
（実施形態３）
上記実施形態２によれば、感電防止用リブ１４ｂを設けたことによって、プラグの挿抜時に使用者が感電してしまうことを防止できるが、感電防止用リブ１４ｂは、図６（ｂ）に示すようにプレートカバー１４の前面から突出しているため、このような感電防止用リブ１４ｂの角に身体をぶつけてけがをするおそれがある。特に、埋込型のコンセントは低い位置（たとえば足元）に設置されることが多いため、足を感電防止用リブ１４ｂにぶつけてけがをするおそれがある。
【００４１】
本実施形態のプレート１５は、かかる問題を解決するためのものである。本実施形態のプレート１５では、図８（ａ），（ｂ）に示すように、プレート本体１６がコンセント２の前面を露出させる開口部１３ａを有してコンセント２の前面側に取り付けられる取付プレート１３と、取付プレート１３の前面に開閉自在に被着されるプレートカバー１７とで構成される点は、上記実施形態２のプレート１１と同様であるが、プレートカバー１７の構成が、実施形態２のプレートカバー１４と異なっている。尚、その他の構成は上記実施形態２と同様であるから、同様の構成については同一の符号を付して説明を省略する。
【００４２】
プレートカバー１７は、図９に示すように、絶縁性を有する合成樹脂を用いて、取付プレート１３の前面を覆う大きさの略長方形の平板状に形成されるとともに、上記実施形態２のプレートカバー１５よりも肉厚に形成されている。また、プレートカバー１７の外側面は、図１０（ｂ）に示すように、前端側から後端側へ行くにつれて外方へ突出するテーパ状に形成されている。
【００４３】
このプレートカバー１７の中央部には、取付プレート１３の開口部１３ａから露出するコンセント２の栓刃挿入口２０ａ〜２０ｃの組をそれぞれ露出させる一対の矩形状の窓孔１７ａ，１７ａが形成されている。窓孔１７ａの大きさは、窓孔１７ａの内周面とコンセント２に接触導通されたプラグの外周面との隙間に指が入り込めない程度の大きさに形成されている。つまり、本実施形態では、プレートカバー１７の前面側の部位が感電防止用リブ１７ｂとなっており、その外側面がテーパ状となっているのである。
【００４４】
一方、プレートカバー１７の長手方向の一端（図９における上端）には、取付プレート１３の第１のリブ１３ｃが挿通される第１の切欠部１７ｃと、第２のリブ１３ｄが挿通される第２の切欠部１７ｄとが形成されている。第１の切欠部１７ｃの内側面（図９における左側面）には、第１の軸受け部（図示せず）にプレートカバー１７の短手方向を回転軸として回動自在に支持される第１の軸部１７ｅが一体に突設されており、第２の切欠部１７ｄの内側面（図９における右側面）には、第２の軸受け部１３ｅにプレートカバー１７の短手方向を回転軸として回動自在に支持される第２の軸部（図示せず）が一体に突設されている。これら第１の軸部１７ｅと第２の軸部（図示せず）は、ともに円柱状の突起からなり、同軸上に配置されている。
【００４５】
そして、プレートカバー１７は、図１０（ａ）に示すように、第１の軸部１７ｅと第２の軸部（図示せず）を、取付プレート１３の第１の軸受け部（図示せず）と第２の軸受け部１３ｅにそれぞれ回動自在に支持させることで取り付けられる。つまり、プレートカバー１７は、上記軸部と上記軸受け部とで構成される枢支機構により、取付プレート１３の前面に開閉自在に被着されることになる。
【００４６】
以上により構成された本実施形態のプレート１５は、上記実施形態２と同様に、図８（ａ）に示すプレートカバー１７を閉じた状態と、図８（ｂ）に示すプレートカバー１７を開いた状態との２つの状態を選択して使用することができるようになっている。
【００４７】
したがって、本実施形態のプレート１５によれば、上記実施形態２と同様の効果を得ることができ、加えて、感電防止用リブ１７ｂの外側面が尖った角のないテーパ状となっているので、感電防止用リブ１７ｂに足等が当たった際にけがをすることを防止できる。
【００４８】
尚、このように感電防止用リブの外側面をテーパ状にする点を上記実施形態１の構成に採用してもよい。また尚、本実施形態３においても、実施形態２で述べたように、枢支機構の軸部と軸受け部の組を４組設けるようにしてもよい。
【００４９】
（実施形態４）
本実施形態のコンセント２１は、たとえば埋込型のコンセントであり、図１１に示すように、プラグの栓刃が挿入される栓刃挿入口２２ａ〜２２ｃと、栓刃挿入口２２ａ〜２２ｃに栓刃を挿入した状態のプラグを囲繞する感電防止用リブ２２ｄとを前面に備える器体２２を有し、コンセント用プレート１８とともに施工面に埋込設置される。
【００５０】
コンセント２１は、図１２（ａ），（ｂ）に示すように、長尺の略直方体状の器体２２を有し、この器体２２は、たとえば、耐トラッキング性に優れる合成樹脂（ユリア樹脂やＰＴＢ等）を用いて、上記の取付枠４（図５参照）に、該取付枠４の開口窓４ａから器体２２の前面が露出する形で最大３個まで連設して取り付けることができるように寸法設定された単位寸法の埋込配線器具の３個分に相当する寸法に形成されている。また、器体２２の前面には、図１２（ａ）に示すように、一対の平型栓刃とピン型栓刃とを有する接地極付きのＡ型プラグの各栓刃（図示せず）がそれぞれ挿入される一対の平型栓刃挿入口２２ａ，２２ｂと、ピン型栓刃挿入口２２ｃとが長手方向に一組ずつ形成されており、器体２２内には、各栓刃に対応する刃受が収納されている。
【００５１】
加えて、器体２２の前面には、栓刃挿入口２２ａ〜２２ｃに栓刃を挿入した状態（つまりは、コンセント２１に接触導通された状態のプラグ）を囲繞する矩形枠状の感電防止用リブ２２ｄが一体に形成されている。ここで、感電防止用リブ２２ｄの内周面とコンセント２１に接触導通されたプラグの外周面（つまりはプラグのボディの外周面）との隙間は、指が入り込めない程度の大きさに形成されており、これにより、プラグの栓刃に電流が流れた状態では、使用者の指が栓刃に接触することがないようにしている。
【００５２】
一方、コンセント用プレート１８は、図１１に示すように、絶縁性を有する合成樹脂を用いて、コンセント２１の前面を覆うとともに、コンセント２１に取り付けられた取付枠４を隠蔽できる程度の大きさの略長方形の平板状に形成されたプレート本体１９と、プレート本体１９を取付枠１４に取り付けるためのプレート枠（図示せず）とを備え、プレート本体１９の略中央部には、コンセント２１の前面を露出させる矩形状の開口部１９ａが形成されている。
【００５３】
以上により形成されたコンセント２１には、図１２（ｂ）に示すように、取付枠４（図５参照）を用いてコンセント用プレート１８が取り付けられ、この状態では、図１２（ａ）に示すように、プレート本体１９の開口部１９ａからコンセント２１の前面に設けられた栓刃挿入口２２ａ〜２２ｃ及び感電防止用リブ２２ｄが露出している。
【００５４】
このコンセント２１には、たとえば、図３（ａ）に示すような、接地極無しのＡ型プラグ３が接続される。この接続は、プラグ３のボディ３ｃを指で持って、一対の平型栓刃３ａ，３ｂを、平型栓刃挿入口２２ａ，２２ｂに挿入していき、平型栓刃３ａ，３ｂを器体２２内に収納された刃受（図示せず）に接触導通させることで行われ、このようにプラグ３がコンセント２１に接触導通された状態では、プラグ３の栓刃側が感電防止用リブ２２ｄで囲繞され、ボディ３ｃと感電防止用リブ２２ｄとの隙間には指が入り込めないようになっている。したがって、接続作業時に不意に指がボディ３ｃから平型栓刃３ａ，３ｂ側へ滑ったとしても、指がプラグ３の栓刃３ａ，３ｂよりも先に感電防止用リブ２２ｄに当たることになるから、指先が平型栓刃３ａ，３ｂに触れることがなくなり、これにより、使用者がプラグの接続作業中に感電してしまうことを防ぐことができる。また、プラグの取り外しの際においても、上記の感電防止用リブ２２ｄによって、指先が平型栓刃３ａ，３ｂに触れることが防止されるので、プラグの接続時と同様に使用者が感電してしまうことを防ぐことができる。
【００５５】
以上述べたように、本実施形態のコンセント２１によれば、プラグの挿抜時にプラグの栓刃に指先が触れることが無くなるので、コンセントに接触導通された状態のプラグの栓刃に指先が触れて、感電してしまうことを防止することができる。
【００５６】
尚、本実施形態では、接地極有りのＡ型プラグに対応する栓刃挿入口を２組備えたコンセントを示しているが、本実施形態のコンセントは、上記のようなコンセントに限られるものではなく、ＣＥＥ型プラグ等、様々なプラグ用の栓刃挿入口を備えるコンセントとしてもよい。この点は、下記の実施形態５，６についても同様である。
【００５７】
（実施形態５）
ところで、上記実施形態４では、図３（ａ）に示すような一般的に用いられるプラグ３の大きさに対応して感電防止用リブ２２ｄが形成されているので、たとえば図３（ｂ）に示すような、プラグ３よりも大型のＡＣアダプタ３０では、プラグ３と同様にＡ型の平型栓刃３０ａ，３０ｂを有していてもコンセント２１に接続できないという問題がある。つまり、このようなＡＣアダプタ３０の場合、ボディ３０ｃが感電防止用リブ２２ｄの内形よりも大きいために、接続の際にはボディ３０ｃの先端面（栓刃３０ａ，３０ｂが設けられている面）に感電防止用リブ２２ｄが当接することになり、これにより、平型栓刃３０ａ，３０ｂの器体２２内への挿入量が少なくなって、十分な接触導通が図れなくなってしまうのである。
【００５８】
本実施形態のコンセント２３は、かかる問題を解決するためのものであり、図１３（ａ），（ｂ）に示すように、長尺の略直方体状の器体２４と、器体２４の前面に開閉自在に被着される前面カバー２５とで構成されている。
【００５９】
器体２４は、上記実施形態４と同様に、耐トラッキング性に優れる合成樹脂（ユリア樹脂やＰＴＢ等）を用いて、上記取付枠４（図１４参照）に、該取付枠４の開口窓４ａから器体２２の前面が露出する形で最大３個まで連設して取り付けることができるように寸法設定された単位寸法の埋込配線器具の３個分に相当する寸法に形成されている。また、器体２４の前面には、図１４に示すように、一対の平型栓刃とピン型栓刃とを有する接地極付きのＡ型プラグの各栓刃（図示せず）がそれぞれ挿入される一対の平型栓刃挿入口２４ａ，２４ｂと、ピン型栓刃挿入口２４ｃとが長手方向に一組ずつ形成されており、器体２４内には、各栓刃に対応する刃受が収納されている。
【００６０】
また、器体２４の前面の長手方向一端側（図１４における上端側）には、短手方向に離間した第１のリブ２４ｄと第２のリブ２４ｅが一体に突設されており、第２のリブ２４ｅと対向しない第１のリブ２４ｄの面（図１４における左側面）には、第１の軸受け部（図示せず）が形成されており、第１のリブ２４ｄと対向しない第２のリブ２４ｅの面（図１４における右側面）には、第２の軸受け部２４ｆが形成されている。これら第１の軸受け部（図示せず）と第２の軸受け部２４ｆは、ともに略円形状の凹部からなり、同軸上に配置されている。
【００６１】
前面カバー２５は、図１４に示すように、絶縁性を有する合成樹脂を用いて、器体２４の前面を覆う大きさの略長方形の平板状に形成されており、長手方向両端側には、コンセント２３の栓刃挿入口２４ａ〜２４ｃの組をそれぞれ露出させる一対の矩形状の窓孔２５ａ，２５ａが形成されている。ここで、窓孔２５ａの大きさは、図３（ａ）に示すような一般的に用いられる接地極無しのＡ型プラグ３や、図示しない接地極有りのＡ型プラグ等をコンセント２３に差し込める程度の大きさに形成されている。
【００６２】
また、前面カバー２５の各窓孔２５ａの周辺部には前方へ突出してコンセント２３に接続されたプラグを囲繞する矩形枠状の感電防止用リブ２５ｂが一体に形成されており、感電防止用リブ２５ｂは、その内周面とコンセント２３に接触導通されたプラグの外周面との隙間が、指が入り込めない程度の大きさとなるように形成されている。
【００６３】
さらに、前面カバー２５の長手方向の一端（図１４における上端）には、器体２４の第１のリブ２４ｄが挿通される第１の切欠部２５ｃと、第２のリブ２４ｅが挿通される第２の切欠部２５ｄとが形成されている。第１の切欠部２５ｃの内側面（図１４における左側面）には、第１の軸受け部（図示せず）に前面カバー２５の短手方向を回転軸として回動自在に支持される第１の軸部２５ｅが一体に突設されており、第２の切欠部２５ｄの内側面（図１４における右側面）には、第２の軸受け部２４ｆに前面カバー２５の短手方向を回転軸として回動自在に支持される第２の軸部（図示せず）が一体に突設されている。これら第１の軸部２５ｅと第２の軸部（図示せず）は、ともに円柱状の突起からなり、同軸上に配置されている。
【００６４】
そして、前面カバー２５は、図１５（ａ），（ｂ）に示すように、第１の軸部２５ｅと第２の軸部（図示せず）を、器体２４の第１の軸受け部（図示せず）と第２の軸受け部２４ｆにそれぞれ回動自在に支持させることで器体２４に取り付けられる。つまり、前面カバー２５は、上記２つの軸部と該軸部に対応する上記軸受け部とで構成される枢支機構により、器体２４の前面に開閉自在に被着されることになる。
【００６５】
以上により構成された本実施形態のコンセント２３は、図１３（ａ）に示す前面カバー２５を閉じた状態と、図１３（ｂ）に示す前面カバー２５を開いた状態との２つの状態を選択して使用することができるようになっている。
【００６６】
ここで、図１３（ａ）に示す前面カバー２５を閉じた状態では、前面カバー２５の各窓孔２５ａからコンセント２３の前面に設けられた栓刃挿入口２４ａ〜２４ｃが露出し、コンセント２３にプラグを接続した際には、プラグが感電防止用リブ２５ｂによって囲繞されることになるので、上記実施形態４と同様に、プラグの挿抜時にプラグの栓刃に指先が触れることが無くなり、これにより、コンセントの刃受に接触導通されているプラグの栓刃に指先が触れて感電してしまうことを防止することができる。
【００６７】
一方、図１３（ｂ）に示す前面カバー２５を開いた状態では、コンセント２３の前面がプレート１８の開口部１９ａからのみ露出した状態となり、コンセント２３の前面に感電防止用リブ２５ｂが配置されていない状態となっているので、図３（ｂ）に示すＡＣアダプタ３０のような大型のプラグであってもコンセント２３に接続することが可能になる。
【００６８】
つまり、本実施形態のコンセント２３によれば、前面カバー２５を閉じた状態では、上記実施形態４と同様に、使用者の感電を防止でき、前面カバー２５を開いた状態では、感電防止用リブ２５ｂ内に入らない形状のプラグのコンセント２３への接続を行えるのである。しかも、前面カバー２５を開け閉めするだけの簡単な作業でコンセント２３の使用状態を選択することができるから、プラグの形状に応じてコンセントを交換したりする手間を省くことができるのである。
【００６９】
ところで、本実施形態のコンセント２３においては、上述したように、前面カバー２５を器体２４に取り付ける枢支機構が、軸部と軸受け部の組を２組有しているものであるが、上記実施形態２で述べたように、枢支機構の軸部と軸受け部の組を少なくとも４組設けるようにして、前面カバー２５を器体２４に強固に取り付けるようにしてもよい。このようにすれば、プラグの引抜時にプラグが前面カバー２５に当たって、前面カバー２５の回転軸方向の衝撃が前面カバー２５に加えられた際にも、前面カバー２５が器体２４から外れてしまうことを防止できる。
【００７０】
（実施形態６）
上記実施形態５によれば、感電防止用リブ２５ｂを設けたことによって、プラグの挿抜時に使用者が感電してしまうことを防止できるが、感電防止用リブ２５ｂは、図１５（ｂ）に示すように前面カバー２５の前面から突出しているため、このような感電防止用リブ２５ｂの角に身体をぶつけてけがをするおそれがある。特に、埋込型のコンセントは施工面の低い位置（たとえば足元）に設置されることが多いため、足を感電防止用リブ２５ｂにぶつけてけがをするおそれがある。
【００７１】
本実施形態のコンセント２６は、かかる問題を解決するためのものである。本実施形態のコンセント２６では、図１６（ａ），（ｂ）に示すように、器体２４と、器体２４の前面に開閉自在に被着される前面カバー２７とで構成される点は、上記実施形態５のコンセント２３と同様であるが、前面カバー２７の構成が、実施形態５の前面カバー２５と異なっている。尚、その他の構成は上記実施形態５と同様であるから、同様の構成については同一の符号を付して説明を省略する。
【００７２】
前面カバー２７は、図１７に示すように、絶縁性を有する合成樹脂を用いて、器体２４の前面を覆う大きさの略長方形の平板状に形成されるとともに、上記実施形態５の前面カバー２５よりも肉厚に形成されている。また、前面カバー２７の外側面は、図１８（ｂ）に示すように、前端側から後端側へ行くにつれて外方へ突出するテーパ状に形成されている。
【００７３】
この前面カバー２７の中央部には、コンセント２６の栓刃挿入口２４ａ〜２４ｃの組をそれぞれ露出させる一対の矩形状の窓孔２７ａ，２７ａが形成されている。窓孔２７ａの大きさは、窓孔２７ａの内周面とコンセント２６に接触導通されたプラグの外周面との隙間に指が入り込めない程度の大きさに形成されている。つまり、本実施形態では、前面カバー２７の前面側の部位が感電防止用リブ２７ｂとなっており、その外側面がテーパ状となっているのである。
【００７４】
一方、前面カバー２７の長手方向の一端（図１７における上端）には、器体２４の第１のリブ２４ｄが挿通される第１の切欠部２７ｃと、第２のリブ２４ｅが挿通される第２の切欠部２７ｄとが形成されている。第１の切欠部２７ｃの内側面（図１７における左側面）には、第１の軸受け部（図示せず）に前面カバー２７の短手方向を回転軸として回動自在に支持される第１の軸部２７ｅが一体に突設されており、第２の切欠部２７ｄの内側面（図１７における右側面）には、第２の軸受け部２４ｆに前面カバー２７の短手方向を回転軸として回動自在に支持される第２の軸部（図示せず）が一体に突設されている。これら第１の軸部２７ｅと第２の軸部（図示せず）は、ともに円柱状の突起からなり、同軸上に配置されている。
【００７５】
そして、前面カバー２７は、図１８（ａ）に示すように、第１の軸部２７ｅと第２の軸部（図示せず）を、器体２４の第１の軸受け部（図示せず）と第２の軸受け部２４ｆにそれぞれ回動自在に支持させることで取り付けられる。つまり、前面カバー２７は、上記軸部と上記軸受け部とで構成される枢支機構により、器体２４の前面に開閉自在に被着されることになる。
【００７６】
以上により構成された本実施形態のコンセント２６は、上記実施形態５と同様に、図１６（ａ）に示す前面カバー２７を閉じた状態と、図１６（ｂ）に示す前面カバー２７を開いた状態との２つの状態を選択して使用することができるようになっている。
【００７７】
したがって、本実施形態のコンセント２６によれば、上記実施形態５と同様の効果を得ることができ、加えて、感電防止用リブ２７ｂの外側面が尖った角のないテーパ状となっているので、感電防止用リブ２７ｂに足等が当たった際にけがをすることを防止できる。
【００７８】
尚、このように感電防止用リブの外側面をテーパ状にする点を上記実施形態４の構成に採用してもよい。また尚、本実施形態においても、実施形態５で述べたように、枢支機構の軸部と軸受け部の組を４組設けるようにしてもよい。
【図面の簡単な説明】
【００７９】
【図１】本発明の実施形態１のコンセント用プレートを示す斜視図である。
【図２】（ａ）は、同上の前面図であり、（ｂ）は、同上の側面図である。
【図３】（ａ）は、一般的なプラグの一例を示す斜視図であり、（ｂ）は、大型のプラグの一例を示す斜視図である。
【図４】（ａ）は、本発明の実施形態２のコンセント用プレートのプレートカバーを閉じた状態を示す斜視図であり、（ｂ）は、同上のプレートカバーを開いた状態を示す斜視図である。
【図５】同上の分解斜視図である。
【図６】（ａ）は、同上の前面図であり、（ｂ）は、同上の側面図である。
【図７】同上の他の例を示す分解斜視図である。
【図８】（ａ）は、本発明の実施形態３のコンセント用プレートのプレートカバーを閉じた状態を示す斜視図であり、（ｂ）は、同上のプレートカバーを開いた状態を示す斜視図である。
【図９】同上の分解斜視図である。
【図１０】（ａ）は、同上の前面図であり、（ｂ）は、同上の側面図である。
【図１１】本発明の実施形態４のコンセントを示す斜視図である。
【図１２】（ａ）は、同上の前面図であり、（ｂ）は、同上の側面図である。
【図１３】（ａ）は、本発明の実施形態５のコンセントの前面カバーを閉じた状態を示す斜視図であり、（ｂ）は、同上の前面カバーを開いた状態を示す斜視図である。
【図１４】同上の分解斜視図である。
【図１５】（ａ）は、同上の前面図であり、（ｂ）は、同上の側面図である。
【図１６】（ａ）は、本発明の実施形態６のコンセントの前面カバーを閉じた状態を示す斜視図であり、（ｂ）は、同上の前面カバーを開いた状態を示す斜視図である。
【図１７】同上の分解斜視図である。
【図１８】（ａ）は、同上の前面図であり、（ｂ）は、同上の側面図である。
【図１９】従来の埋込型コンセント及びコンセント用プレートの説明図である。
【符号の説明】
【００８０】
１    コンセント用プレート
１０  プレート本体
１０ａ  窓孔
１０ｂ  感電防止用リブ
２    コンセント
２０ａ，２０ｂ  平型栓刃挿入口
２０ｃ  ピン型栓刃挿入口
【図１】
2006310041.tif 000003
【図２】
2006310041.tif 000004
【図３】
2006310041.tif 000005
【図４】
2006310041.tif 000006
【図５】
2006310041.tif 000007
【図６】
2006310041.tif 000008
【図７】
2006310041.tif 000009
【図８】
2006310041.tif 000010
【図９】
2006310041.tif 000011
【図１０】
2006310041.tif 000012
【図１１】
2006310041.tif 000013
【図１２】
2006310041.tif 000014
【図１３】
2006310041.tif 000015
【図１４】
2006310041.tif 000016
【図１５】
2006310041.tif 000017
【図１６】
2006310041.tif 000018
【図１７】
2006310041.tif 000019
【図１８】
2006310041.tif 000020
【図１９】
2006310041.tif 000021